(57)【特許請求の範囲】
【請求項１】
フレーム内の収納部に紙葉類を積層状に収納し、この紙葉類を送り出しローラを有する送り出し手段で収納部から前方へ送り出す紙葉類送り出し装置において、
前記送り出しローラは、外周囲に紙葉類と接して所定長さ押し出す押し出し面と紙葉類から離れる非作用面とを形成した送りローラと、この送りローラの軸方向両端に配置されていて、送りローラの押し出し面が紙葉類を押し出すときに遊転可能であり、送りローラの非作用面が紙葉類と対向したときに紙葉類と接触して受持可能な遊転ローラとを有し、前記送りローラの押し出し面は弾性材で形成されかつ遊転ローラより径外方向に僅少突出していることを特徴とする紙葉類送り出し装置。
【請求項２】
前記フレームを配置した装置ケースに紙葉類の取り出し口を有し、前記送りローラの押し出し面の周長は送りローラから取り出し口までの紙葉類の取り出し長さと略等しいことを特徴とする請求項１に記載の紙葉類送り出し装置。
【請求項３】
前記送り出し手段は、送り出しローラを設けた送り出し軸に作動部材を固定すると共に所要角度回動される動力伝達部材を遊嵌し、この動力伝達部材に前記作動部材と係合して回動を伝達する係合部と作動部材の遊転を規制するストッパ部とを周方向に離れて設け、動力伝達部材の回動で係合部を作動部材に係合させて送りローラを回動して押し出し面で紙葉類を押し出すことを特徴とする請求項１に記載の紙葉類送り出し装置。
【発明の詳細な説明】
【０００１】
【発明の属する技術分野】
本発明は、いわゆるシール、カードと称される紙葉類を束にして又は単枚で自動販売するための紙葉類送り出し装置に関する。
【０００２】
【従来の技術】
ゲームカード、テレホンカード、乗車券等の紙葉類の送り出し装置としては、１枚づつ単枚で送り出すものと、複数枚の紙葉類を結束帯で送り出し方向に結束したものを送り出すものとがある。
例えば、特開平９−２６７８号公報に開示されているように、装置ケース内に収納した下から２番目以上の紙葉類を衝立板で送り出しを阻止しながら、最下位の紙葉類を送り出し軸に設けた送り出しローラの回転で前方へ送り出し、この送り出された紙葉類を引き出すことにより装置ケースから取り出すようになっている。
【０００３】
そして、前記送り出し装置では、送り出し過剰及び不正行為を防止するため、送り出しローラで紙葉類を送り出すのは、紙葉類の先端が装置ケースの取り出し口から僅かに突出する位置までであり、その突出量は指で紙葉類の先端が摘める程度である。従って、紙葉類購入者は、僅かに突出した紙葉類を指で摘んで引き出すことになる。
【０００４】
送り出しローラは紙葉類送り出し後は不動となるため、指で摘める量が少ないと、引き出し紙葉類は送り出しローラとその上の積載紙葉類との間に挟まれて抵抗が大きく、引き出し困難になることがある。
そこで、送り出し軸に対して送り出しローラを一方向クラッチを介して取り付けることにより、送り出しローラで紙葉類を送り出した後は、送り出しローラが遊転することにより、引き出し抵抗を減少して軽く引き出せるようにすることが考えられる。
【０００５】
しかし、このように送り出しローラを紙葉類引き出し方向に遊転可能にすると、副作用として紙葉類を素早く引っ張ったときに、送り出しローラが慣性回転して２枚目紙葉類を送り出してしまうことがあり、これが数回繰り返されることにより、２枚目紙葉類が摘み出し可能になり、余分な紙葉類の払出しとなる。すなわち、過剰払出し、不正払出しを招いてしまう。
【０００６】
そこで、前記従来技術では、送り出し軸に対して送り出しローラを一方向クラッチを介して取り付けると共に、その一方向クラッチによる送り出しローラの遊転にトルクリミッタで制動をかけることにより、送り出しローラで紙葉類を送り出した後は、紙葉類の引き出し抵抗を減少しながらも不本意な２枚目送り出しを防止できるようにしている。
【０００７】
【発明が解決しようとする課題】
しかしながら、前記従来技術では、紙葉類は送り出しローラが不動の場合よりも軽い力で引き出されるが、送り出しローラが完全な遊転の場合よりも抵抗を受けるので、幼児のように操作力が弱いと、引き出し困難になることがある。また、一方向クラッチ及びトルクリミッタ等を必要とするためコスト高になる。
【０００８】
本発明の目的は、送り出し手段の送り出しローラに、外周囲に紙葉類と接する押し出し面以外に紙葉類から離れる非作用面を形成しておいて、過剰及び不正引き出しを防止しながら、紙葉類をきわめて軽く引き出せるようにした紙葉類送り出し装置を提供するにある。
【０００９】
【課題を解決するための手段】
即ち、本発明における課題解決のための第１の具体的手段は、フレーム２内の収納部２１に紙葉類Ａを積層状に収納し、この紙葉類Ａを送り出しローラ５を有する送り出し手段２３で収納部２１から前方へ送り出す紙葉類送り出し装置において、
前記送り出しローラ５は、外周囲に紙葉類Ａと接して所定長さ押し出す押し出し面１４と紙葉類Ａから離れる非作用面１５とを形成した送りローラ５Ａを有していることである。
【００１０】
これによって、送りローラ５Ａは押し出し面１４で紙葉類Ａを押し出した後に、非作用面１５が紙葉類Ａと対向して紙葉類Ａと接触しなくなり、紙葉類Ａが引っ張られても送りローラ５Ａが駆動されることがない。
本発明における課題解決のための第２の具体的手段は、第１の具体的手段に加えて、前記送り出しローラ５は送りローラ５Ａの軸方向両端に遊転ローラ５Ｂを有し、送りローラ５Ａの押し出し面１４は弾性材１３で形成されかつ遊転ローラ５Ｂより径外方向に僅少突出していることである。
【００１１】
これによって、送りローラ５Ａは押し出し面１４で紙葉類Ａを確実に押し出し、非作用面１５が紙葉類Ａと対向するとき、遊転ローラ５Ｂで紙葉類Ａを支持する。
本発明における課題解決のための第３の具体的手段は、第１の具体的手段に加えて、前記送り出し手段２３は、送り出しローラ５を設けた送り出し軸４に作動部材８を固定すると共に所要角度回動される動力伝達部材１１を遊嵌し、この動力伝達部材１１に前記作動部材８と係合して回動を伝達する係合部９と作動部材８の遊転を規制するストッパ部１０とを周方向に離れて設け、動力伝達部材１１の回動で係合部９を作動部材８に係合させて送りローラ５Ａを回動して押し出し面１４で紙葉類Ａを押し出すことである。
【００１２】
これによって、動力伝達部材１１が所要角度回動されると、係合部９及び作動部材８を介して送りローラ５Ａを回動し、押し出し面１４で紙葉類Ａを所要長さ押し出し、紙葉類Ａが不正に引っ張られても、作動部材８がストッパ部１０に当接するまで遊転するだけとなる。
【００１３】
【発明の実施の形態】
以下、本発明の実施の形態を図面に基いて説明する。
図１〜１３において、紙葉類送り出し装置１は単枚の紙葉類Ａを送り出すカード販売機に適用したものである。
箱型の装置ケース（収納ケース）１Ａはケース本体１６と前扉１９とを有し、ケース本体１６は前面が開放されていて前扉１９で閉鎖可能になっており、前扉１９はコイン挿入口２２、紙葉類Ａの取り出し口１７、ディスプレイ取付部１８等が形成され、上部は上蓋２０が設けられている。
【００１４】
ケース本体１６の内部には、フレーム２が前面開口から着脱自在に挿入配置され、内下部には集金箱（図示せず）が挿脱自在に配置されている。
フレーム２は紙葉類送り出し装置１の主要機構を支持しており、底板２４、この底板２４に固定の左右側板２５及び支持板２６等を有し、左右側板２５の上下方向中途部に送り出し軸４を支持し、この送り出し軸４より上側に紙葉類Ａの収納部２１を形成し、下側に駆動機構１２及びコインセレクタ２７等を配置している。
【００１５】
前記収納部２１は、左右側板２５間に多数枚の紙葉類Ａの主に後部を積載状に載置する下受け材２８と、積載紙葉類Ａの前面を仕切る衝立板３とで区切られて形成されている。
下受け材２８は左右側板２５に対して固定され、後部に受け材２９を前後位置調整自在にネジ止めしており、紙葉類Ａに反りが有る場合に、前記受け材２９の前後位置を調整して、紙葉類Ａの先端を衝立板３に正常に当接するようにしている。
【００１６】
衝立板３は左右側板２５に対して固定された固定衝立３Ａと、枢支された開閉衝立３Ｂとを有する。固定衝立３Ａは紙葉類Ａの前側を案内しており、その下端は送り出し軸４に設けた送り出しローラ５の最上部より下位に位置し、かつ送り出される紙葉類Ａを前下方へ案内する前下向き傾斜面３ａが形成されている。固定衝立３Ａは左右側板２５に対して上下位置調整可能に固定することが好ましい。
【００１７】
開閉衝立３Ｂは下部が左右側板２５又は固定衝立３Ａに枢支され、上部が左右側板２５に固定の上壁にネジ止めされており、開放することにより収納部２１の前面を開放して紙葉類Ａを補給可能にする。
送り出しローラ５は固定衝立３Ａと下受け材２８との間の下部に位置し、積載紙葉類Ａの前部を受載している。積載紙葉類Ａ上に載置される重り３１は左右側板２５に形成された縦溝３２に案内されており、送り出しローラ５の略真上で紙葉類Ａを抑えている。
【００１８】
前記送り出しローラ５は中央の送りローラ５Ａとその軸方向両側の遊転ローラ５Ｂとを有し、送りローラ５Ａは送り出し軸４に固定されているのに対して、遊転ローラ５Ｂは軸受７又はブッシュを介して遊転可能に支持されている。
送りローラ５Ａは、円形外周面の一部を軸心と平行に切り欠いた切欠円形で、プラスチック又は軽金属等で形成されたものの周囲にゴムシート等の摩擦抵抗の大きい弾性材１３を巻き付けており、円形部分の外周が紙葉類Ａと接して押し出す押し出し面１４となっており、軸心と平行な平坦面部分が紙葉類Ａから離れて押し出し不能になる非作用面１５となっている。
【００１９】
送りローラ５Ａの押し出し面１４の周長は、送りローラ５Ａから取り出し口１７までの紙葉類Ａの送り出し長さＬ１と略等しく設定されている。
遊転ローラ５Ｂはプラスチック又は軽金属等で形成されており、その直径は送りローラ５Ａの押し出し面１４より僅少小径であり、送りローラ５Ａが紙葉類Ａを押し出すとき実質的に接触しないが、非作用面１５が紙葉類Ａに対向したとき、紙葉類Ａと接触してそれを受持し、紙葉類Ａを引き出すときに遊転して抵抗を加えないようになっている。
【００２０】
前記送り出し軸４には動力伝達部材１１が遊嵌され、この動力伝達部材１１を介して駆動機構１２からの動力が伝達可能になっている。この動力伝達部材１１及び送り出しローラ５等で送り出し手段２３が構成されている。
衝立板３の下端の前下方には、紙葉類Ａを取り出し口１７へ案内する案内板６が設けられている。送り出しローラ５によって送り出されてくる紙葉類Ａは衝立板３によって下向きに湾曲され、案内板６に衝突して略水平（湾曲方向は上向き）に案内され、送り出し紙葉類Ａに扱きをかけて上位の紙葉類Ａと確実に分離されるようになっている。
【００２１】
この案内板６の上面には凹部６Ａが形成されており、また、案内板６の上方には送り出し紙葉類Ａによって持ち上げ揺動される邪魔板４１が配置されている。この邪魔板４１は、案内板６上に紙葉類Ａがないとき、即ち、紙葉類非送り出し時に凹部６Ａ内に入り、外部からの器具の挿入を阻止することができ、収納紙葉類Ａが抜き取られるのを防止している。
【００２２】
駆動機構１２はケース本体１６の前方に配置されたハンドル３３からの動力を動力伝達部材１１に伝達するものであり、ハンドル３３を取り付けたハンドル軸の動力は方向変換ベベルギヤを介して伝動軸３６に伝達され、この伝動軸３６上のギヤ３７からアイドラギヤ３８Ａ、３８Ｂ、３８Ｃを介して動力伝達部材１１に伝達される。伝動軸３６及びアイドラギヤ３８Ａ、３８Ｂ、３８Ｃの各軸は側板２５等に支持され側板２５の外側に位置している。
【００２３】
前記動力伝達部材１１には一側面に２本のピンで形成された係合部９とストッパ部１０とが周方向に間隔をおいて設けられており、係合部９はピンの回転方向後方側に円弧部材を設けて補強している。
送り出し軸４には係合部９とストッパ部１０とに択一的に係合当接する作動部材８が設けられ、この作動部材８は送り出し軸４にピンを打ち込んで形成されている。
【００２４】
前記係合部９は動力伝達部材１１がアイドラギヤ３８Ｃによって駆動されたときに、作動部材８と係合して送り出し軸４に動力を伝達するものであり、ストッパ部１０は送り出し軸４が紙葉類Ａの引き出しによって逆駆動されたときに、一定角度以上の回動を規制するものであり、送り出し軸４の慣性遊転を阻止する。
前記伝動軸３６の端部には、コインセレクタ２７から所定量のコインが投入されたときに、伝動軸３６の回転を不能状態から可能にする作動機構４０が設けられている。
【００２５】
この作動機構４０は所定種類のコインを１枚入れると、ハンドル３３を一定角度回転可能にするものであり、実施の形態では１００円硬貨を１枚入れて、ハンドル３３を３９０°回転して送り出し軸４を所要量（略３６０°）回動し、その後、ハンドル３３を３０°戻し回動するように構成されている。
即ち、作動機構４０は、ケース４５のケース壁間に伝動軸３６に固定された作動ディスク４８が配置され、作動ディスク４８に対してコイン検出体４９とラチェット爪５０とが係脱自在になっており、一方のケース壁との間にコイン検出部５１が形成されている。
【００２６】
コインには大きい順に５００円、１０円、１００円、５円、５０円とあるが、１００円硬貨を所定硬貨（使用すべく設定した硬貨）とする場合、５００円、１０円、５円、５０円は所定外硬貨となり、通常はコインセレクタ２７で排除されるが、５円及び５０円、特に外径が僅少差の５円硬貨が不本意に作動機構４０まで入ってくることがあり、これらが入ってきたときに作動機構４０が作動しないようにしておく必要がある。
【００２７】
前記コイン検出部５１は、作動ディスク４８の一側面の周方向１か所に１枚のコインが嵌入できる深さに形成された凹部であり、このコイン検出部５１に対応した外周縁に切欠状の検出凹部５５が形成され、コイン検出部５１に嵌入したコインの外周の一部が検出凹部５５に露出するようになっている。また、一方のケース壁の外面に戻しレバー５２が枢支され、伝動軸３６に戻しレバー５２と係合する戻し体５３が固定されている。
【００２８】
前記コイン検出部５１は略対向した２つの傾斜壁を有しており、この２つの傾斜壁はコイン嵌入方向に次第に狭くなっており（交点が作動ディスク４８の径内側にある）、２つの傾斜壁で嵌入したコインの外周面と当接してこれを受持する。コインは外周面の２か所で２つの傾斜壁と当接するため、嵌入されたコインに径の違いがあれば拡大されて作動ディスク４８からの突出量の違いとなる。
【００２９】
コイン投入口２２から１枚のコインが入ると、作動ディスク４８の一側面のコイン検出部５１に保持され、かつ外周部の検出凹部５５を塞ぎ、コイン検出体４９との係合を不能にする。これによりハンドルを介して伝動軸３６が回転可能になり、伝動軸３６を３９０°回動できるようになる。
伝動軸３６が３６０°回動した時点で戻し体５３は戻しレバー５２と係合し、３９０°までスプリングに抗して伝動軸３６は回動される。伝動軸３６が３９０°まで回動したとき、コイン検出部５１に次のコインが入ってきていないと、コイン検出体４９が検出凹部５５に係合して作動ディスク４８の回動を阻止することになる。
【００３０】
その後、ハンドル３３から手を離すと、スプリングの引っ張り力によって、戻しレバー５２及び戻し体５３を介して伝動軸３６が戻し回動され、３６０°まで戻った時点でラチェット爪５０が作動ディスク４８に係合して戻り回動を規制する。
次に、図１、５〜１１に基づいて、送り出し手段２３の動作を説明する。
【００３１】
図１の状態は、コイン投入前の待機状態を示し、この状態から送り出しローラ５を１回転させて、紙葉類Ａの先端を取り出し口１７から寸法Ｌ２だけ突出すべく、紙葉類Ａを衝立板３から所定送り出し長さＬ１だけ送り出す。
遊転ローラ５Ｂから径外方向に突出している送りローラ５Ａの押し出し面１４の周方向長さは略所定送り出し長さＬ１に設定されており、送りローラ５Ａの押し出し先端側は、待機時に積層紙葉類Ａと寸法Ｌ３だけ下方に位置している。
【００３２】
このとき、送り出し軸４の作動部材８は動力伝達部材１１のストッパ部１０に当接しており、この状態から駆動機構１２を介して動力伝達部材１１を時計方向に角度Ｓ１回動すると（図５）、送り出し軸４が停止したまま動力伝達部材１１の係合部９が回動し、角度Ｓ１回動後に係合部９が作動部材８と当接して、それ以後の送り出し軸４の同伴回動を可能にする。
【００３３】
係合部９が作動部材８を角度Ｓ２同伴回動した状態で、送りローラ５Ａの押し出し面１４の周方向押し出し先端が紙葉類Ａと接触し（図６実線状態）、押し出しを始め、押し出し面１４の周長Ｌ１だけ紙葉類Ａを押し出す。すなわち、紙葉類Ａを取り出し口１７から寸法Ｌ２だけ突出していて、摘んで引き出し可能な状態にする（図７実線状態）。
【００３４】
送りローラ５Ａは送り出し軸４に対して、押し出し面１４の先端の紙葉類接触開始位相と後端の紙葉類離脱開始位相とが異なり、図７から図８に示すように、角度Ｓ３だけ紙葉類Ａを余計に押し出すことになり、結局、寸法Ｌ２からさらにＬ３だけ取り出し口１７からの紙葉類Ａの先端の突出が多くなっている。
この突出寸法Ｌ３は紙葉類Ａをより摘まみ易くすることになるが、寸法Ｌ１＋Ｌ３を所要押し出し量になるように設定してもよい。
【００３５】
そして、動力伝達部材１１は図８の状態で１回転を完了するが、それを越えて作動機構４０で設定された約３９０°位置である図９の状態まで回動し、そして３６０°の位置まで約３０°戻って停止することになり、その状態が図１の係合部９及びストッパ部１０の位置となる。
図８〜９の状態では、送りローラ５Ａの非作用面１５が紙葉類Ａと対抗していて、押し出し面１４は紙葉類Ａと接触していないので、紙葉類Ａを摘んで引き抜くには抵抗がなくなっていて、きわめて軽くに取り出すことが可能になる。
【００３６】
前記状態では、引き抜かれる紙葉類Ａは軸方向一対の遊転ローラ５Ｂによって支持され、遊転ローラ５Ｂに負荷が加わっていないことにより引き抜き力が軽減される。
また、送りローラ５Ａは遊転ローラ５Ｂと近接していることにより連れ回りされ、図１の状態まで、すなわちストッパ部１０に作動部材８が当接するまで回動する。但し、この同伴回動がなくとも送りローラ５Ａの待機姿勢が変わるだけで、紙葉類Ａの送り出しに支障はない。
【００３７】
不正取り出しをする目的で、前記図６の状態から送り出し寸法Ｌ１に至る前にハンドル３３の回動を止めて固定した場合、すなわち図１０に示すように、送りローラ５Ａを角度Ｓ４だけ回動して、紙葉類Ａの先端を取り出し口１７から突出寸法Ｌ４（２〜４ｍｍ）だけ突出した状態で止めた場合、この状態から紙葉類Ａを強制的に引き抜くと、動力伝達部材１１が停止していて、紙葉類Ａによって送りローラ５Ａのみが角度Ｓ５分駆動されることになる。
【００３８】
紙葉類Ａは送りローラ５Ａを駆動した後に非作用面１５と対向し、作動部材８は係合部９に押されている状態からストッパ１０に当接する状態に変化し、その後にハンドル３３の残り角度を回動して、動力伝達部材１１を最大回動角度３９０°に達するまで回動すると、離れていた係合部９が作動部材８に当接しかつさらに押動する（図１１実線状態）。
【００３９】
これによって送りローラ５Ａは角度Ｓ５分回動されるが、この状態で送りローラ５Ａは押し出し面１４の先端が２枚目紙葉類Ａに接触する又はその手前に位置することになるだけで、２枚目の紙葉類Ａを送り出すことはない。
図１２〜１５において、装置ケース（収納ケース）１Ａのケース本体１６及び前扉１９はプラスチック又は板金で形成されており、前扉１９は左右一側が上下の枢支軸６７によってケース本体１６に枢支され、左右他側（自由端側）がロック具（錠）６８によって閉鎖状態をロックできるようになっている。
【００４０】
前記前扉１９の自由端側のケース本体側面には突起６９が設けられ、これに対向してケース本体１６のフランジ部１６ａには突起６９が嵌入可能な孔７０が形成されている。前記突起６９及び孔７０は長円形又は円形に形成されていて第１協働保形手段７１を構成している。
この第１協働保形手段７１は、前扉１９を閉鎖した際に突起６９が孔７０に適合嵌入して、ケース本体１６に対する前扉１９の左右方向及び／又は上下方向の位置を規制して、前扉１９の撓んだりずれ動いたりするのを防止する。
【００４１】
また、前記前扉１９の枢支端側のケース本体側面には鉤部材７２が設けられており、この鉤部材７２は前扉１９を閉鎖したときに、ケース本体１６の前面のフランジ部１６ａの内側に入り込むように先端がＬ字状に折曲されている。
前記鉤部材７２は掛合部を形成しており、フランジ部１６ａは掛合部が掛合する被掛合部を形成しており、これらは掛合部をケース本体１６に、被掛合部を前扉１９にそれぞれ設けたり、一体成形したりしてもよく、これらは第２協働保形手段７３を構成している。
【００４２】
この第２協働保形手段７３は、前扉１９を閉鎖した際に鉤部材（掛合部）７２がフランジ部（被掛合部）１６ａの内側に入り込み、ケース本体１６に対する前扉１９の前後方向の位置を規制して、前扉１９の上下方向中途部がケース本体１６から離れるように撓んだりずれ動いたりするのを防止する。
なお、本発明は前記実施の形態に限定されるものではなく、種々変形することができる。例えば、紙葉類Ａを複数枚をバンドで結束した束にして束送り出し可能にしたり、送り出しローラ５の軸方向長さを短くして、横幅の短い紙葉類Ａに適用したりしても良い。また、非作用面１５は遊転ローラ５Ｂより小径の円弧面でもよい。
【００４３】
【発明の効果】
以上詳述した本発明によれば、送り出しローラ５は、外周囲に紙葉類Ａと接して所定長さ押し出す押し出し面１４と紙葉類Ａから離れる非作用面１５とを形成しているので、紙葉類Ａの過剰及び不正引き出しを防止しながら、きわめて軽く引き出すことができ、製作コストも低減できる。
【図面の簡単な説明】
【図１】本発明の実施形態を示す要部の断面側面図である。
【図２】送り出しローラの断面正面図である。
【図３】紙葉類送り出し装置の断面側面図である。
【図４】同紙葉類送り出し装置の側面図である。
【図５】送りローラの紙葉類送り出し前の状態を示す動作説明図である。
【図６】送りローラの紙葉類送り出し開始状態を示す動作説明図である。
【図７】送りローラの紙葉類送り出し終期の状態を示す動作説明図である。
【図８】送りローラの紙葉類送り出し完了時を示す動作説明図である。
【図９】紙葉類の引き抜き状態を示す動作説明図である。
【図１０】紙葉類の不正引き抜き状態を示す動作説明図である。
【図１１】紙葉類の不正引き抜き防止状態を示す動作説明図である。
【図１２】紙葉類送り出し装置の外形を示す正面図である。
【図１３】紙葉類送り出し装置の外形を示す側面図である。
【図１４】図１２のＸ−Ｘ線断面図である。
【図１５】図１４から前扉を開放した時の断面説明図である。
【符号の説明】
１      紙葉類送り出し装置
２      フレーム
３      衝立板
４      送り出し軸
５      送り出しローラ
８      作動部材
９      係合部
１０    ストッパ部
１１    動力伝達部材
１２    駆動機構
１３    弾性材
１４    押し出し面
１５    非作用面
Ａ      紙葉類
【図１】
0003828661.tif 000002
【図２】
0003828661.tif 000003
【図３】
0003828661.tif 000004
【図４】
0003828661.tif 000005
【図５】
0003828661.tif 000006
【図６】
0003828661.tif 000007
【図７】
0003828661.tif 000008
【図８】
0003828661.tif 000009
【図９】
0003828661.tif 000010
【図１０】
0003828661.tif 000011
【図１１】
0003828661.tif 000012
【図１２】
0003828661.tif 000013
【図１３】
0003828661.tif 000014
【図１４】
0003828661.tif 000015
【図１５】
0003828661.tif 000016